(57)【特許請求の範囲】
【請求項１】
四角形上面の前辺近傍に所定の間隔をあけて二つの自力復帰型の押圧操作型部品部が配されると共に、対向する側辺の上方に突出した側板部に係合部を備えた使用機器の配線板上に固着される取付台と、回転操作型部品部を構成するための固定接点である弾性接点脚を備え、前記取付台の上方からスナップイン結合されて前記取付台の係合部で側壁部が保持される基台部と、中央部が外周面を操作される円柱状のつまみ部となる円柱状操作つまみと、対向する二辺で前記円柱状操作つまみを回転可能に保持すると共に、前方下面に設けられた押圧部が前記各押圧操作型部品部に当接するようにして前記基台部の後辺近傍に設けられた位置決め保持部で位置決めされ、かつ前記基台部に設けられた上方位置規制手段によって上方への移動規制がなされるように前記基台部上に載せられ、前記基台部に対して所定の範囲内で傾動可能で、かつ前記押圧操作型部品部が配された辺と対向する前記円柱状操作つまみの回転中心軸と平行な後辺を支持軸として回動可能に配された四角形の枠体と、前記円柱状操作つまみと共廻りするように、前記円柱状操作つまみの回転軸線上に設けられた小径の円柱部の外周面に設けられ、前記弾性接点脚と共に回転操作型部品部を構成する可動接点部からなり、前記円柱状操作つまみのつまみ部を回転操作することにより、前記回転操作型部品部である前記可動接点部と前記弾性接点脚とが共同して所定の電気信号が生成でき、一方、前記つまみ部外周上面の両端部近傍のいずれかを下方に押圧操作することにより、前記枠体が前記基台部に対して傾動して前方下面の前記押圧部で前記各押圧操作型部品部を個別に操作でき、また前記つまみ部の外周上面の中央部を下方に押圧操作することにより、前記枠体が前記支持軸を中心として回動して前方下面の前記押圧部で前記二つの押圧操作型部品部を同時に操作できる押圧・回転操作型電子部品。
【請求項２】
取付台の上面に圧接用接点部を設けると共に、基台部に弾性接点脚と導通した圧接用弾性端子を配設し、前記取付台の係合部によって前記基台部の側壁部が保持された際に、前記圧接用弾性端子が前記圧接用接点部に圧接接続され、回転操作型部品部からの電気信号が前記取付台に伝達されるようにした請求項１記載の押圧・回転操作型電子部品。
【請求項３】
取付台に二つの自力復帰型の押圧操作型部品部を配設する代わりに、それらを基台部上面の前辺近傍に配するようにした請求項１記載の押圧・回転操作型電子部品。
【請求項４】
取付台の上面に圧接用接点部を設けると共に、基台部に弾性接点脚および各押圧操作型部品部の接点部分と導通した圧接用弾性端子を配設し、前記取付台の係合部によって前記基台部の側壁部が保持された際に、前記圧接用弾性端子が前記圧接用接点部に圧接接続され、回転操作型部品部および押圧操作型部品部からの電気信号が前記取付台に伝達されるようにした請求項３記載の押圧・回転操作型電子部品。
【請求項５】
枠体の支持軸となる後辺下面部分を、前記枠体もしくは基台部に設けた支持突起で支えるようにした請求項１〜４のいずれか一つに記載の押圧・回転操作型電子部品。
【請求項６】
支持突起が、二つの押圧操作型部品部の中点の位置から等距離位置に設けられた請求項５記載の押圧・回転操作型電子部品。
【請求項７】
基台部の位置決め保持部が、上方に突出形成された位置決め突部で構成され、前記位置決め突部に枠体の後辺に設けた規制孔が挿通されて前記枠体の前後左右の位置決めが図られると共に、基台部の上方位置規制手段が、基台部前方位置に設けられた上方に突出した第一弾性爪で構成され、前記第一弾性爪が前記枠体の前端上面に係止された請求項１〜６のいずれか一つに記載の押圧・回転操作型電子部品。
【請求項８】
基台部の後方位置に第二弾性爪が設けられ、その爪部下面と枠体の後部上端面との間が所定の隙間を空けるように配された請求項７記載の押圧・回転操作型電子部品。
【請求項９】
取付台に対して基台部が、上下方向には隙間がないが水平方向には所定の隙間を設けて所定範囲内で移動可能に保持された請求項１〜８のいずれか一つに記載の押圧・回転操作型電子部品。
【請求項１０】
基台部に設けられた弾性接点脚が、枠体の支持軸を中心とした前記枠体の回動時に、移動する円柱状操作つまみの回転中心軸の回動円周上の位置で可動接点部に弾接した請求項１〜９のいずれか一つに記載の押圧・回転操作型電子部品。
【請求項１１】
基台部に設けられた弾性接点脚が、枠体の支持軸を中心とした前記枠体の回動時に、基台部方向に変移しない位置で可動接点部に弾接した請求項１〜９のいずれか一つに記載の押圧・回転操作型電子部品。
【請求項１２】
円柱状操作つまみの回転動作時に節度感を発生する節度機構を備えた請求項１〜１１のいずれか一つに記載の押圧・回転操作型電子部品。
【請求項１３】
回転操作型部品部が、円柱状操作つまみの円柱部の外周に設けられたリング状接点部およびこれと導通した導通部と絶縁部が所定の角度ピッチで交互に配された櫛歯部に対して、基台部に配された弾性接点脚がそれぞれ弾接した回転型エンコーダである請求項１〜１２のいずれか一つに記載の押圧・回転操作型電子部品。
【請求項１４】
円柱状操作つまみのつまみ部に金属めっきを施して円柱部外周に設けたリング状接点部と導通させると共に、前記リング状接点部に弾接する弾性接点脚の一端を使用機器のアース回路に導通させた請求項１３記載の押圧・回転操作型電子部品。
【請求項１５】
押圧操作型部品部が、弾性金属薄板製のドーム状可動接点が中央固定接点の上方に所定の距離を持って対峙するように、外周下端が外側固定接点上に配されると共に、ドーム状可動接点の上面に貼り付けられた絶縁フィルムで位置決めされたプッシュオンスイッチである請求項１〜１４のいずれか一つに記載の押圧・回転操作型電子部品。
【請求項１６】
基台部上面に位置決め穴を設け、この位置決め穴に使用機器の上ケースより突出させた位置決めボスを挿入係合させることにより、前記上ケースに対して位置決め装着可能とした請求項１〜１５のいずれか一つに記載の押圧・回転操作型電子部品。
【請求項１７】
請求項１〜１６のいずれか一つに記載の押圧・回転操作型電子部品の装着方法であって、あらかじめ使用機器のプリント配線板上の所定位置に取付台を固着し、その後に、基台部・枠体および円柱状操作つまみ等を組み合わせて構成したブロック体を、前記取付台にスナップイン結合して保持させるようにした押圧・回転操作型電子部品の装着方法。
【発明の詳細な説明】
【０００１】
【発明の属する技術分野】
本発明は、主として携帯電話等の電子機器に使用され、機器の操作面から露出した円柱状の操作つまみを接線方向に回転操作でき、また、その操作つまみの中央部または端部を回転中心に向けて押圧操作して所定の電気信号が生成できる押圧・回転操作型電子部品およびその装着方法に関するものである。
【０００２】
【従来の技術】
従来のこの種の押圧・回転操作型電子部品としては、プッシュオンスイッチ付回転型エンコーダが知られており、そのプッシュオンスイッチ付回転型エンコーダを例として以下に図面を用いて説明する。
【０００３】
図１４は、従来の押圧・回転操作型電子部品であるプッシュオンスイッチ付回転型エンコーダの外観斜視図、図１５は同側面断面図である。
【０００４】
同図に示すように、従来のプッシュオンスイッチ付回転型エンコーダ１は、接点付取付基板２に、回転操作型部品部としての回転型エンコーダ部３と押圧操作型部品部としてのプッシュオンスイッチ部４が所定の位置に配設され、回転型エンコーダ部３は一定の範囲で上下方向（図１４および図１５に示す矢印Ｖ方向）に移動できるように、またプッシュオンスイッチ部４が動かないように固定されている。
【０００５】
この回転型エンコーダ部３は、接点付取付基板２に対して一定の範囲で上下方向に動きうるように保持されたスライド接点体５と、その中央に固定された軸部６により回転可能に保持された回転体７と、この回転体７を回転操作できるように軸部６を介して取り付けられた円形操作つまみ８とにより構成され、スライド接点体５の下端から突出した板ばね９が接点付取付基板２前面のピン状突起１０に弾接することにより、通常状態において回転型エンコーダ部３はプッシュオンスイッチ部４から離れた位置にあるように付勢されている。
【０００６】
また、プッシュオンスイッチ部４は図１５に示すように、その操作釦１１が回転型エンコーダ部３の軸部６後方の押圧部６Ａに当接するように、接点付取付基板２の回転型エンコーダ部３が配設された面とは反対側の部分に固定されている。
【０００７】
このように構成された従来のプッシュオンスイッチ付回転型エンコーダ１の動作は、まず円形操作つまみ８の外周上面８Ａに接線方向（図１４に示す矢印Ｈ方向）の力を加えて円形操作つまみ８を回転させることにより、回転体７が軸部６を中心として回転して回転型エンコーダ部３からの電気信号を導出できるものであった。
【０００８】
また、回転型エンコーダ部３を押し上げている板ばね９の付勢力に逆らって、円形操作つまみ８の外周上面８Ａにその中心に向かう下方向（図１４および図１５に示す矢印Ｖ方向）の押し力を加えて回転型エンコーダ部３全体を下方に動かすことにより、軸部６の押圧部６Ａで操作釦１１を押してプッシュオンスイッチ部４を作動させることができ、その円形操作つまみ８に加えていた押し力を除くと、板ばね９の弾性復元力によって回転型エンコーダ部３が押し戻されて元の状態に復帰するものであった。
【０００９】
そして、このプッシュオンスイッチ付回転型エンコーダ１が使用機器である携帯電話１２に使用される場合には、図１６の携帯電話の外観斜視図に示すように、別の電子部品である二回路プッシュオンスイッチ１３と組み合わせて使用されることが多かった。
【００１０】
この二回路プッシュオンスイッチ１３は図１７の部分断面正面図に示すように、スイッチ基板１４の上に所定の間隔をあけて配置された二つの自力復帰型のプッシュオンスイッチ１５Ａ，１５Ｂがスイッチ基板１４中央の支持部１４Ａで回動可能に支持された操作釦１６の上面１６Ａまたは１６Ｂを押圧操作することにより、それぞれ個別に作動できるように構成されたものである。
【００１１】
次に、この携帯電話１２の使用方法について説明すると、その携帯電話１２の使用開始時に、操作面１２Ａに配された表示部１７に複数の機能項目メニューが所定の配列関係で表示された状態において、まず操作者は、プッシュオンスイッチ付回路型エンコーダ１の円形操作つまみ８の操作面１２Ａから突出した部分に接線方向の力を加え、円形操作つまみ８を所定方向に回転させる。
【００１２】
この円形操作つまみ８の回転に伴って、図１６には図示していない回転型エンコーダ部３からの信号が導出され、携帯電話１２の内部に配された回路部がこの信号を検出・制御して表示画面中の機能項目メニューを希望する項目のある行まで前後方向に移動させる。
【００１３】
続いて、操作者は、二回路プッシュオンスイッチ１３の操作釦１６の上面１６Ａ，１６Ｂのいずれかを押圧操作して所定のプッシュオンスイッチ１５Ａまたは１５Ｂを作動させ、表示画面中の機能項目メニューを目的とする項目のある列まで左右方向に移動させて目的の項目を選択する。
【００１４】
最後に、操作者は、再度プッシュオンスイッチ付回路型エンコーダ１の円形操作つまみ８を下方に押圧操作して、図１６には図示していないプッシュオンスイッチ付回転型エンコーダ１のプッシュオンスイッチ部４を作動させ、選択した機能項目メニューを決定するものであった。
【００１５】
【発明が解決しようとする課題】
しかしながら、前記従来の押圧・回転操作型電子部品としてのプッシュオンスイッチ付回転型エンコーダ１を二回路プッシュオンスイッチ１３と共に携帯電話１２等に搭載した場合には、操作者はプッシュオンスイッチ付回転型エンコーダ１の円形操作つまみ８と二回路プッシュオンスイッチ１３の操作釦１６の間を指を大きく移動させながら操作しなければならないので操作性に劣ると共に、それらの電子部品の装着範囲は広い面積が必要となるため、急激に小型化が進展している電子機器においては使用し難くなってきており、電子機器メーカからは前記両操作が可能な小型の電子部品への開発要望が高まってきていた。
【００１６】
また、このプッシュオンスイッチ付回転型エンコーダ１は、使用機器の配線板に対して操作部分となる円形操作つまみ８を含めて半田付け装着しなければならず、この半田付け時に円形操作つまみ８の外観に影響を与えることのないように、高価な高耐熱樹脂を用いて形成しなければならないという課題もあった。
【００１７】
本発明は、このような従来の課題を解決するものであり、操作つまみを円柱状のものとし、この一つの操作つまみに対して接線方向に回転操作でき、また、その操作つまみの中央部または端部を回転中心に向けて押圧操作可能であると共に、その装着時には、あらかじめ使用機器の配線板上に半田付け固定された所定部材に対して操作つまみを含むブロック体を後から取り付けて装着可能な操作性に優れた小型の押圧・回転操作型電子部品およびその装着方法を提供することを目的とする。
【００１８】
【課題を解決するための手段】
前記目的を達成するために本発明は、四角形上面の前辺近傍に所定の間隔をあけて配置された二つの自力復帰型の押圧操作型部品部を設けた取付台に対して、弾性接点脚を備えた基台部をスナップイン結合すると共に、弾性接点脚と共同して回転操作型部品部を構成する可動接点部を有する円柱状操作つまみを回転可能に保持した枠体を、前記基台部上に、前方下面に設けられた押圧部が前記各押圧操作型部品部に当接するようにして所定の範囲内で傾動可能で、かつ前記押圧操作型部品部が配された辺と対向する前記円柱状操作つまみの回転中心軸と平行な後辺を支持軸として回動可能に配するものである。
【００１９】
これにより、一つの円柱状操作つまみの回転操作に伴って可動接点部を共廻りさせて回転操作型部品部を作動させることができ、かつその円柱状操作つまみの中央部または端部を押圧操作することにより、枠体が基台部に対して回動または傾動して所定の押圧操作型部品部を作動させることができるコンパクトで操作性に優れた押圧・回転操作型電子部品が得られると共に、その装着時には、取付台のみを使用機器の配線板に半田付け固定した後に、基台部・枠体・円柱状操作つまみ等をあらかじめ組立てたブロック体をスナップイン結合して装着することができるものを提供することができる。
【００２０】
【発明の実施の形態】
本発明による請求項１に記載の発明は、四角形上面の前辺近傍に所定の間隔をあけて二つの自力復帰型の押圧操作型部品部が配されると共に、対向する側辺の上方に突出した側板部に係合部を備えた使用機器の配線板上に固着される取付台と、回転操作型部品部を構成するための固定接点である弾性接点脚を備え、前記取付台の上方からスナップイン結合されて前記取付台の係合部で側壁部が保持される基台部と、中央部が外周面を操作される円柱状のつまみ部となる円柱状操作つまみと、対向する二辺で前記円柱状操作つまみを回転可能に保持すると共に、前方下面に設けられた押圧部が前記各押圧操作型部品部に当接するようにして前記基台部の後辺近傍に設けられた位置決め保持部で位置決めされ、かつ前記基台部に設けられた上方位置規制手段によって上方への移動規制がなされるように前記基台部上に載せられ、前記基台部に対して所定の範囲内で傾動可能で、かつ前記押圧操作型部品部が配された辺と対向する前記円柱状操作つまみの回転中心軸と平行な後辺を支持軸として回動可能に配された四角形の枠体と、前記円柱状操作つまみと共廻りするように、前記円柱状操作つまみの回転軸線上に設けられた小径の円柱部の外周面に設けられ、前記弾性接点脚と共に回転操作型部品部を構成する可動接点部からなり、前記円柱状操作つまみのつまみ部を回転操作することにより、前記回転操作型部品部である前記可動接点部と前記弾性接点脚とが共同して所定の電気信号が生成でき、一方、前記つまみ部外周上面の両端部近傍のいずれかを下方に押圧操作することにより、前記枠体が前記基台部に対して傾動して前方下面の前記押圧部で前記各押圧操作型部品部を個別に操作でき、また前記つまみ部の外周上面の中央部を下方に押圧操作することにより、前記枠体が前記支持軸を中心として回動して前方下面の前記押圧部で前記二つの押圧操作型部品部を同時に操作できる押圧・回転操作型電子部品としたものであり、一つの円柱状操作つまみの回転操作に伴って可動接点部を共廻りさせて回転操作型部品部を作動させることができ、かつその円柱状操作つまみの中央部または端部を押圧操作することにより、枠体が基台部に対して回動または傾動して所定の押圧操作型部品部を作動させることができるコンパクトで操作性に優れた押圧・回転操作型電子部品が得られると共に、その装着時に、取付台のみを使用機器の配線板に半田付け固定した後に、基台部・枠体・円柱状操作つまみ等をあらかじめ組立てたブロック体を、その取付台にスナップイン結合して装着するようにすることにより、円柱状操作つまみを含む回転操作型部品部に対する半田付け固定時の影響をなくすことができるという作用を有する。
【００２１】
請求項２に記載の発明は、請求項１記載の発明において、取付台の上面に圧接用接点部を設けると共に、基台部に弾性接点脚と導通した圧接用弾性端子を配設し、前記取付台の係合部によって前記基台部の側壁部が保持された際に、前記圧接用弾性端子が前記圧接用接点部に圧接接続され、回転操作型部品部からの電気信号が前記取付台に伝達されるようにしたものであり、請求項１記載の発明による作用に加えて、簡単な構成で回転操作型部品部からの信号を取付台に確実に伝達して導出できるものが得られるという作用を有する。
【００２２】
請求項３に記載の発明は、請求項１記載の発明において、取付台に二つの自力復帰型の押圧操作型部品部を配設する代わりに、それらを基台部上面の前辺近傍に配するようにしたものであり、基台部に押圧操作型部品部を設けるようにすることにより、その押圧操作型部品部と基台部上に載せられる枠体の押圧部の位置を精度高く組み合わせ易くなり、押圧操作型部品部をより確実に作動させることができるものが得られると共に、取付台のみを使用機器の配線板に半田付け固定した後に、この基台部・枠体・円柱状操作つまみ等をあらかじめ組立てたブロック体を、その取付台にスナップイン結合して装着するようにすることにより、円柱状操作つまみを含む回転操作型部品部に加えて押圧操作型部品部に対しても半田付け固定時の影響が加わらないものにできるという作用を有する。
【００２３】
請求項４に記載の発明は、請求項３記載の発明において、取付台の上面に圧接用接点部を設けると共に、基台部に弾性接点脚および各押圧操作型部品部の接点部分と導通した圧接用弾性端子を配設し、前記取付台の係合部によって前記基台部の側壁部が保持された際に、前記圧接用弾性端子が前記圧接用接点部に圧接接続され、回転操作型部品部および押圧操作型部品部からの電気信号が前記取付台に伝達されるようにしたものであり、請求項３記載の発明による作用に加えて、簡単な構成で回転操作型部品部および押圧操作型部品部からの信号を取付台に確実に伝達して導出できるものが得られるという作用を有する。
【００２４】
請求項５に記載の発明は、請求項１〜４のいずれか一つに記載の発明において、枠体の支持軸となる後辺下面部分を、前記枠体もしくは基台部に設けた支持突起で支えるようにしたものであり、円柱状操作つまみのつまみ部への押圧操作時に、基台部に対して枠体は、この支持突起を中心として確実かつ滑らかに回動または傾動動作するものにでき、押圧操作性の良好なものが容易に得られるという作用を有する。
【００２５】
請求項６に記載の発明は、請求項５記載の発明において、支持突起が、二つの押圧操作型部品部の中点の位置から等距離位置に設けられたものであり、請求項５に記載の発明による作用に加えて、枠体の回動および傾動時を含めて基台部に対する枠体の安定性を向上させることができると共に、枠体の傾動動作時の左右の傾動角度が同一なものが得られるという作用を有する。
【００２６】
請求項７に記載の発明は、請求項１〜６のいずれか一つに記載の発明において、基台部の位置決め保持部が、上方に突出形成された位置決め突部で構成され、前記位置決め突部に枠体の後辺に設けた規制孔が挿通されて前記枠体の前後左右の位置決めが図られると共に、基台部の上方位置規制手段が、基台部前方位置に設けられた上方に突出した第一弾性爪で構成され、前記第一弾性爪が前記枠体の前端上面に係止されたものであり、簡単な構成で、枠体を基台部に対して前後左右方向の位置ずれを少なく、かつ、基台部に対する枠体の上方へのガタツキを少なく組み合わすことができると共に、枠体の回動または傾動後の復帰位置を第一弾性爪で容易に規制することができるという作用を有する。
【００２７】
請求項８に記載の発明は、請求項７記載の発明において、基台部の後方位置に第二弾性爪が設けられ、その爪部下面と枠体の後部上端面との間が所定の隙間を空けるように配されたものであり、枠体の回動および傾動時に上方に移動することとなる枠体の後部側の上方位置を確実に規制することができて、所定角度で傾動操作可能なものを得ることができるという作用を有する。
【００２８】
請求項９に記載の発明は、請求項１〜８のいずれか一つに記載の発明において、取付台に対して基台部が、上下方向には隙間がないが水平方向には所定の隙間を設けて所定範囲内で移動可能に保持されたものであり、取付台を使用機器の配線板に半田付けによって固定した後に、その他の部材を組込む場合であっても、円柱状操作つまみの位置等を前記水平方向に設けた隙間で容易に調節して正規の位置に対応させて配することができるものを得ることができるという作用を有する。
【００２９】
請求項１０に記載の発明は、請求項１〜９のいずれか一つに記載の発明において、基台部に設けられた弾性接点脚が、枠体の支持軸を中心とした前記枠体の回動時に、移動する円柱状操作つまみの回転中心軸の回動円周上の位置で可動接点部に弾接したものであり、前記枠体の回動時に弾性接点脚と可動接点部との接触位置が変わらないようにできるため、押圧操作時に回転操作型部品部からの誤信号が発し難いものにできるという作用を有する。
【００３０】
請求項１１に記載の発明は、請求項１〜９のいずれか一つに記載の発明において、基台部に設けられた弾性接点脚が、枠体の支持軸を中心とした前記枠体の回動時に、基台部方向に変移しない位置で可動接点部に弾接したものであり、繰り返して押圧操作された場合にも、弾性接点脚は基台部方向に撓まないものにできるため、弾性接点脚のばね弾性力を長期間に亘って維持させることができ、安定した回転操作型部品部からの出力が得られるものにできるという作用を有する。
【００３１】
請求項１２に記載の発明は、請求項１〜１１のいずれか一つに記載の発明において、円柱状操作つまみの回転動作時に節度感を発生する節度機構を備えたものであり、円柱状操作つまみの回転操作時の操作フィーリングが良好で、かつ、円柱状操作つまみに対する押圧操作時に、不用意に円柱状操作つまみが回転して回転操作型部品部から誤信号が発せられることを防止できるという作用を有する。
【００３２】
請求項１３に記載の発明は、請求項１〜１２のいずれか一つに記載の発明において、回転操作型部品部が、円柱状操作つまみの円柱部の外周に設けられたリング状接点部およびこれと導通した導通部と絶縁部が所定の角度ピッチで交互に配された櫛歯部に対して、基台部に配された弾性接点脚がそれぞれ弾接した回転型エンコーダであるものであり、円柱状操作つまみを所定方向に回転操作することにより、所定のパルス信号を送出できる回転型エンコーダを備えたものにできると共に、この回転型エンコーダは円柱状操作つまみの外径よりも小さい径の中に構成できるため、製品外形が小型で薄形のものを容易に実現することができるという作用を有する。
【００３３】
請求項１４に記載の発明は、請求項１３記載の発明において、円柱状操作つまみのつまみ部に金属めっきを施して円柱部外周に設けたリング状接点部と導通させると共に、前記リング状接点部に弾接する弾性接点脚の一端を使用機器のアース回路に導通させたものであり、操作部分となる円柱状操作つまみのつまみ部等から流入する静電気を確実に使用機器のアース回路に逃がすことができるという作用を有する。
【００３４】
請求項１５に記載の発明は、請求項１〜１４のいずれか一つに記載の発明において、押圧操作型部品部が、弾性金属薄板製のドーム状可動接点が中央固定接点の上方に所定の距離を持って対峙するように、外周下端が外側固定接点上に配されると共に、ドーム状可動接点の上面に貼り付けられた絶縁フィルムで位置決めされたプッシュオンスイッチであるものであり、押圧操作型部品部が節度感触を備えた簡素な構成のものであるため、押圧操作フィーリングの優れた安価なものを容易に実現できるという作用を有する。
【００３５】
請求項１６に記載の発明は、請求項１〜１５のいずれか一つに記載の発明において、基台部上面に位置決め穴を設け、この位置決め穴に使用機器の上ケースより突出させた位置決めボスを挿入係合させることにより、前記上ケースに対して位置決め装着可能としたものであり、上ケースを組込むのみで押圧・回転操作型電子部品の装着位置を調節することができ、上ケースに設けられた開口部に対して円柱状操作つまみのつまみ部を所定位置に容易に配するようにできるという作用を有する。
【００３６】
請求項１７に記載の発明は、請求項１〜１６のいずれか一つに記載の押圧・回転操作型電子部品の装着方法であって、あらかじめ使用機器のプリント配線板上の所定位置に取付台を固着し、その後に、基台部・枠体および円柱状操作つまみ等を組み合わせて構成したブロック体を、前記取付台にスナップイン結合して保持させるようにした押圧・回転操作型電子部品の装着方法としたものであり、この押圧・回転操作型電子部品を配線板上に半田付けによって装着する場合に、取付台のみにしか半田付け時の熱が加わらないようにできるため、外装部材となる円柱状操作つまみ等への半田付け時の影響をなくせて、外観のきれいな状態で容易に装着することができ、また円柱状操作つまみ等の形成材料としても高耐熱性の高価な材料を用いずともよくなるため、電子機器の低価格化にも寄与することができるという作用を有する。
【００３７】
（実施の形態）
以下に本発明による押圧・回転操作型電子部品を、従来と同様にプッシュオンスイッチ付回転型エンコーダを例として説明する。
【００３８】
図１は本発明の一実施の形態による押圧・回転操作型電子部品としてのプッシュオンスイッチ付回転型エンコーダの外観斜視図であり、図２は同分解斜視図、図３は同正面図である。
【００３９】
同図において、３１は使用機器の配線板上等に固定される絶縁樹脂製の取付台で、平坦な四角形状の底部３１Ａの対向する側辺にそれぞれ上方に突出した側板部３１Ｂを備え、これらの側板部３１Ｂには係合部３２が各々設けられている。
【００４０】
また、この取付台３１の底部３１Ａの前辺近傍には、押圧操作型部品部となる単体のプッシュオンスイッチ３３が二箇所に設けられている。
【００４１】
このプッシュオンスイッチ３３のそれぞれは、図４（ａ）の断面図および同図（ｂ）の分解斜視図に示すように、取付台３１上面の前辺近傍に設けられた凹部内に、所定の間隔をあけて中央固定接点３４Ａおよび外側固定接点３４Ｂが配置され、弾性金属薄板からなるドーム状可動接点３５の中央頂点部３５Ａ下面が中央固定接点３４Ａと所定の距離を持って対峙するようにその外周下端が外側固定接点３４Ｂ上に載せられていると共に、前記凹部を覆うように貼り付けられた可撓性を有する絶縁フィルム３６に、その中央頂点部３５Ａ上面が貼り付けられて位置決め保持されたものとなっている。
【００４２】
つまり、これらのプッシュオンスイッチ３３は、自力復帰型のものに構成されたものである。
【００４３】
なお、押圧操作型部品部としては、前記構成のプッシュオンスイッチ３３の代わりに、一つの電子部品として完成されたスイッチ完成品を配するようにしてもよく、また、そのスイッチ完成品の他に、押圧されて出力状態が変わるものを配設したものとしてもよい。
【００４４】
また、前記中央および外側固定接点３４Ａおよび３４Ｂにそれぞれ導通している接続用端子３７は、取付台３１の側部から突出している。
【００４５】
そして、３８は、前記取付台３１の底部３１Ａ上に配された絶縁樹脂製の基台部であり、その側壁部３８Ａ外面に設けた係合突部３８Ｂは、前記取付台３１の側板部３１Ｂの係合部３２に係合されている。
【００４６】
なお、この基台部３８は、取付台３１に対して、垂直方向には隙間は殆どないが、水平方向には所定の隙間を設けて所定範囲内で移動可能に、前記取付台３１上からスナップイン結合されて結合されている。
【００４７】
そして、この基台部３８は、前記対向する側壁部３８Ａ上面の対角位置に位置決め穴３８Ｃを有すると共に、前記側壁部３８Ａの間を連結している連結底部３８Ｄの前方部分に切欠き３８Ｅが設けられており、その切欠き３８Ｅは、前記取付台３１に設けたプッシュオンスイッチ３３の上方位置に対応している。
【００４８】
なお、前記位置決め穴３８Ｃは、使用機器に装着される際に用いられるものである。
【００４９】
そして、３９は弾性金属板製の接点付端子であり、中間部分が基台部３８の連結底部３８Ｄに埋設されて基台部３８に配され、その一端に形成された弾性接点脚４０は、連結底部３８Ｄの面から斜め上方に突出すると共に、その他端は基台部３８側部から突出した端子部４１となっている。
【００５０】
この接点付端子３９は、図２の分解斜視図に示すように、三つが基台部３８に互いに電気的独立状態に配されている。
【００５１】
そして、それぞれの端子部４１は、前方の所定位置でＵ字状に下方に屈曲されており、その先端部が圧接用弾性端子部４１Ａとして機能するものとなっている。
【００５２】
また、前述のように基台部３８が取付台３１に係合されている状態では、それぞれの接点付端子３９の圧接用弾性端子部４１Ａは、取付台３１前端にそれぞれが電気的独立状態に設けられた圧接用固定接点４２に各々圧接維持されていると共に、その圧接用固定接点４２の導出端子４３も、取付台３１の側部から突出状態に設けられている。
【００５３】
そして、図１に示す４４は、底面部４４Ｂの左右両側に設けられた右側部４４Ａと左側部４４Ｃとの間で円柱状操作つまみ４５を回転可能に保持した略四角形状の枠体であるが、この枠体４４は、図２の分解斜視図に示すように、その右側部４４Ａおよび底面部４４Ｂを構成する駆動部材４６と、その左側部４４Ｃを構成するカバー部材４７とが結合されて構成されたものとなっている。
【００５４】
そして、図５の斜視図に示すように、この駆動部材４６の下面側の前部には、前記それぞれのプッシュオンスイッチ３３を押圧するための押圧部４８が設けられていると共に、その後部には、支持突部４９が設けられている。
【００５５】
この支持突部４９は、前記押圧部４８どうしを繋ぐ直線に平行で、その押圧部４８どうしの中点位置から等距離にある二箇所の位置に設けられている。
【００５６】
そして、前記枠体４４は、駆動部材４６の前部下面に設けられた押圧部４８を取付台３１上のそれぞれのプッシュオンスイッチ３３に当接させ、かつ駆動部材４６の後部下面に設けられた支持突部４９を前記連結底部３８Ｄの後部上に当接させるようにして基台部３８上に載せられている（図３参照）。
【００５７】
なお、この状態で円柱状操作つまみ４５の回転軸はプッシュオンスイッチ３３どうしを繋ぐ直線と平行関係になっている。
【００５８】
また、前記二箇所に設けた支持突部４９も、前記押圧部４８どうしを繋ぐ直線に対して平行関係に設けられているため、支持突部４９どうしを繋ぐ直線、プッシュオンスイッチ３３どうしを繋ぐ直線、および円柱状操作つまみ４５の回転軸は、互いに平行関係になっている。
【００５９】
なお、この支持突部４９を前記の二箇所の位置に設ける代わりに、その位置を端部とする連結した一つの形状のものにしてもよいし、それを枠体４４側に設けずに基台部３８側に設けてもよい。
【００６０】
そして、図６の後方側からの外観斜視図にも示すように、枠体４４の駆動部材４６の後部には、二つの規制孔５０が設けられており、基台部３８の連結底部３８Ｄに形成された規制用突部５１がそれぞれ挿入され、枠体４４は、基台部３８に対して前後左右方向への移動規制がなされて位置決めされている。
【００６１】
なお、この規制孔５０と規制用突部５１との係合位置は、対角位置関係にあるプッシュオンスイッチ３３と支持突部４９を繋ぐ線上に設定されていると共に、二箇所に設けられた規制孔５０と規制用突部５１との係合位置どうしを繋ぐ線も、前記プッシュオンスイッチ３３どうしを繋ぐ直線に対して平行、つまり円柱状操作つまみ４５の回転軸と平行な位置関係になっている。
【００６２】
さらに、前記状態で配された枠体４４の上方への位置規制手段として、円柱状操作つまみ４５の回転軸と平行な枠体４４の前部上面には、基台部３８の連結底部３８Ｄ前端に形成された第一弾性爪５２の爪部が係止されている（図１参照）。
【００６３】
この枠体４４の前部上面と第一弾性爪５２とは、枠体４４の移動のない通常状態においては、前記押圧部４８がプッシュオンスイッチ３３を作動させることがない位置で停止するように係止されている。
【００６４】
また、図２および図６に示すように、基台部３８の連結底部３８Ｄ後端中央にも第二弾性爪５３が形成されており、その爪部下面は所定の隙間を空けて枠体４４の後部上面に対向している。
【００６５】
このようにして枠体４４を基台部３８に配することによって、枠体４４は基台部３８に対して対角位置関係にあるプッシュオンスイッチ３３と支持突部４９を繋ぐ線を支持軸として傾動可能で、かつ前記円柱状操作つまみ４５の回転軸と平行な支持突部４９どうしを繋ぐ線を支持軸として回動可能となり、前記枠体４４の傾動および回動動作に伴って所定のプッシュオンスイッチ３３を押圧部４８で押圧できるものにできる。
【００６６】
一方、中央部が操作部分であるつまみ部となる円柱状操作つまみ４５は、図７の部分断面正面図に示すように、その両側端に窪み４５Ａ，４５Ｂを備えたものとなっており、右側の側端の窪み４５Ａ中央には、さらに外周と同軸の円形穴４５Ｃが設けられていると共に、左側の側端の窪み４５Ｂには可動接点部材５４が円柱状操作つまみ４５と共廻りするように固着されている。
【００６７】
そして、この可動接点部材５４は、前記のごとく固着された状態で、円柱状操作つまみ４５から外方に突出する円柱状操作つまみ４５よりも小径の円柱部５４Ａを有しており、その円柱部５４Ａと前記円形穴４５Ｃとは、同一直線を中心軸としている。
【００６８】
そして、この円形穴４５Ｃに、駆動部材４６の右側部に形成された円柱支持部５５が係合されると共に、それと同軸に配されたカバー部材４７の軸受部４７Ａで円柱部５４Ａの中間部が保持されることによって、円柱状操作つまみ４５は、駆動部材４６とカバー部材４７とで構成される枠体４４の前後辺に対して平行な回転軸を持つように回転可能に保持されている。
【００６９】
また、前記のように軸支された可動接点部材５４の円柱部５４Ａの、円柱状操作つまみ４５の左側端から外方に突出した部分には、可動接点部５６が形成されており、この可動接点部５６に対して前記三つの弾性接点脚４０が弾接して回転操作型部品部である回転型エンコーダ部が構成され、その周囲は、カバー部材４７の覆い部４７Ｂで覆われている。
【００７０】
この回転型エンコーダ部について詳しく説明すると、可動接点部５６は、図２に示すように、導電基材により形成された円柱部５４Ａの周回する外周面で形成されるリング状接点部５７および、円柱部５４Ａの外周面に所定の角度ピッチで絶縁部５８が設けられ、この絶縁部５８と前記リング状接点部５７に接続された導通部５９が交互に配された櫛歯部６０とから構成されている。
【００７１】
そして、基台部３８の連結底部３８Ｄから延出された接点付端子３９の弾性接点脚４０の一つは、リング状接点部５７に常時弾接したコモン弾性接点となり、その他の二つが櫛歯部６０上に僅かに接触位置をずらせて弾接した信号用弾性接点として機能するように組み合わされている。
【００７２】
つまり、前記可動接点部５６の回転に伴って、前記コモン弾性接点および二つの信号用弾性接点が可動接点部５６の所定部分上を弾接摺動することにより、その回転方向に対応した二種類の電気信号（パルス信号）が生成できるインクリメンタルタイプの回転型エンコーダ部が構成されたものとなっており、その出力は、それぞれの接点付端子３９の圧接用弾性端子部４１Ａおよび圧接用固定接点４２を介して取付台３１の導出端子４３から導出できるものとなっている。
【００７３】
また、円柱状操作つまみ４５の右側の窪み４５Ａ内には、節度ばね６１が、円柱状操作つまみ４５と共廻り可能に収容されており、この節度ばね６１の弾性ダボ部６１Ａは、駆動部材４６の円柱支持部５５周囲に設けられた放射状凹凸部６２に弾接しており、両者で節度機構部が構成されている。
【００７４】
なお、放射状凹凸部６２と前記櫛歯部６０との角度ピッチは、互いに対応させてある。
【００７５】
この節度機構部は、円柱状操作つまみ４５の回転操作時に所定の節度感触を発生させる機能を備えると共に、円柱状操作つまみ４５が回転していない時には節度ばね６１の弾性ダボ部６１Ａが放射状凹凸部６２の凹部内にはまり込んで円柱状操作つまみ４５を所定位置で停止状態に維持させる機能を果たすものである。
【００７６】
また、円柱状操作つまみ４５の停止状態のときには、弾性接点脚４０の内の信号用弾性接点は、櫛歯部６０の絶縁部５８上で停止するように構成されていると共に、その弾接位置は、前記枠体４４の回動時に、移動する円柱状操作つまみ４５の回転中心軸の円周上の位置で弾接したものとなっている。
【００７７】
本実施の形態における押圧・回転操作型電子部品であるプッシュオンスイッチ付回転型エンコーダは、前記のごとく構成されるものであり、円柱状操作つまみ４５を採用すると共に、回転型エンコーダ部の可動接点部５６を可動接点部材５４の小径の円柱部５４Ａの外周部に形成したものであるために、回転型エンコーダ部をコンパクトに構成できて円柱状操作つまみ４５の細形化も容易に図ることができ、製品外形が小型で薄形のものを容易に実現することができるものである。
【００７８】
次に、本実施の形態による押圧・回転操作型電子部品であるプッシュオンスイッチ付回転型エンコーダの装着方法について図面を用いて説明する。
【００７９】
図８は、本実施の形態による押圧・回転操作型電子部品であるプッシュオンスイッチ付回転型エンコーダを使用機器の配線板への装着方法を説明する図である。
【００８０】
同図に示すように、前記プッシュオンスイッチ付回転型エンコーダを、まず、取付台３１と、取付台３１を除く部材である基台部３８、枠体４４、円柱状操作つまみ４５等を前記に説明した状態にあらかじめ組み込んだブロック体６３とに分けて準備する。
【００８１】
そして、まず、前記準備された取付台３１のみを、使用機器の下ケース６４内に固定された配線板６５上の所定位置に配置して、取付台３１のプッシュオンスイッチ３３用の接続用端子３７と圧接用固定接点４２の導出端子４３とを、対応するランド部に半田付けによって接続固定する。
【００８２】
続いて、この配線板６５に固定された取付台３１に対して、上方からブロック体６３を挿入していき、取付台３１の側板部３１Ｂの係合部３２に、基台部３８の側壁部３８Ａ外方に設けた係合突部３８Ｂをスナップイン結合させて図９に示す装着状態のものとする。
【００８３】
このときブロック体６３は、前記に説明したように、取付台３１に対しては、垂直方向には隙間は殆どないが、水平方向には所定の隙間を設けて所定範囲内で移動可能に係合されたものとなる。
【００８４】
そして、前記状態のものに対して、図１０に示すように、基台部３８の位置決め穴３８Ｃに対応する二つの円柱状の位置決めボス６６を下面に有すると共に、その中間位置に開口部６７を備えた上ケース６８を、位置決めボス６６を位置決め穴３８Ｃに挿入させるようにして下ケース６４に組み合わせていき、円柱状操作つまみ４５の上方部分を前記開口部６７から所定量突出させて上ケース６８と下ケース６４とを結合する。
【００８５】
このときに、上ケース６８の開口部６７に対して、本実施の形態によるプッシュオンスイッチ付回転型エンコーダが少しずれた位置に配されている場合にも、基台部３８が、取付台３１に対して水平方向に所定範囲内で移動可能に係合されているため、その位置決めボス６６の挿入に伴って、その位置を補正することができ、上ケース６８の開口部６７と円柱状操作つまみ４５とを簡単に正確な位置関係に補正することができる。
【００８６】
このように本装着方法は、配線板６５に対して取付台３１のみを先に半田付け固定し、その後に、外部に露出する外装部品となる円柱状操作つまみ４５が組込まれたブロック体６３をスナップイン結合させて装着するものであるため、円柱状操作つまみ４５への半田付け固定時の熱等の影響をなくせて見栄えのよい電子機器を容易に得ることができる。
【００８７】
また、その装着時に円柱状操作つまみ４５には半田付け時の熱が加わらないものであるため、円柱状操作つまみ４５やその他のブロック体６３を構成する各部材を高価な高耐熱樹脂を用いて形成することも不要となり、このプッシュオンスイッチ付回転型エンコーダを安価に構成することも可能となるものである。
【００８８】
次に、本実施の形態による押圧・回転操作型電子部品としてのプッシュオンスイッチ付回転型エンコーダの動作について説明する。
【００８９】
本実施の形態によるプッシュオンスイッチ付回転型エンコーダは、円柱状操作つまみ４５のつまみ部に接線方向の力を加えると、円柱状操作つまみ４５が回転して、その回転に伴って節度機構部が節度感を発すると共に、円柱状操作つまみ４５に固着された可動接点部材５４が回転し、可動接点部５６上の所定位置を三つの弾性接点脚４０が弾接摺動する。
【００９０】
この操作により回転型エンコーダ部が作動し、すなわち弾性接点脚４０のコモン弾性接点と二つの信号用弾性接点との間で回転方向に対応した二種類の電気信号（パルス信号）が生成され、接点付端子３９の端子部４１に導出された前記信号は、圧接用弾性端子部４１Ａおよび圧接用固定接点４２を介して取付台３１の導出端子４３から導出される。
【００９１】
このときに、取付台３１と基台部３８は上下方向に隙間なく係合されているために、圧接用弾性端子部４１Ａと圧接用固定接点４２との圧接接続という簡単な構成で、回転型操作部品部である回転型エンコーダ部からの信号を取付台３１に確実に伝達して導出することができる。
【００９２】
なお、前記回転操作時に、円柱状操作つまみ４５には、下方に押し下げる力も少し加わるが、その力よりもそれぞれのプッシュオンスイッチ３３の作動時の動作力を大きく設定しておくことにより、プッシュオンスイッチ３３の誤作動を防止することができる。
【００９３】
一方、円柱状操作つまみ４５のつまみ部の中央部に下方（図３に示すＶ１方向）への押圧操作力を加えると、円柱状操作つまみ４５およびそれを支持している枠体４４は、基台部３８に対して駆動部材４６の支持突部４９どうしを繋ぐ線を回動軸として前方に回動し、その前部下面の押圧部４８が取付台３１上の各々のプッシュオンスイッチ３３を絶縁フィルム３６上から同時に押圧していく。
【００９４】
このとき、支持突部４９どうしを繋ぐ回動軸線は、円柱状操作つまみ４５の回転中心軸と平行関係で、かつ後方位置にあるため、その押圧操作力は円柱状操作つまみ４５の全体に均等に働き、それを保持する枠体４４も安定した状態で基台部３８に対して前方に回動するようになる。
【００９５】
そして、その押圧力が、それぞれのドーム状可動接点３５の動作力よりも大きくなると、図１１の部分断面正面図に示すように、前記ドーム状可動接点３５は節度感を伴いながら反転動作して、それぞれの中央および外側固定接点３４Ａおよび３４Ｂ間を短絡させ、各々のプッシュオンスイッチ３３を共にオン状態にして、それらに対応する接続用端子３７間が各々導通する。
【００９６】
なお、図１１には図示していないが、前記押圧操作時には、円柱状操作つまみ４５は、節度ばね６１の弾性ダボ部６１Ａが放射状凹凸部６２の凹部内にはまり込んだ状態を維持しつつ移動するために、円柱状操作つまみ４５が回転することはなく、また、弾性接点脚４０の信号用弾性接点は、可動接点部５６の絶縁部５８上に停止している状態のままで、移動する円柱状操作つまみ４５の回転中心軸の回動円周上を移動していくために、回転型エンコーダ部から誤信号を発することはない。
【００９７】
一方、前記支持軸を中心とする前記枠体４４の回動時に、弾性接点脚４０が基台部３８側に変移しない位置で弾接させるように組み合わせるようにすると、枠体４４の回動時等における弾性接点脚４０の負荷を軽減させることができ、回転型エンコーダ部から長期に亘って安定した出力が得られるものにできる。
【００９８】
そして、前記押圧操作力を除くと、それぞれのドーム状可動接点３５が元の形状に復元し、各々のプッシュオンスイッチ３３を共にオフ状態に戻すと共に、枠体４４およびそれに保持された円柱状操作つまみ４５を元の位置まで押し戻し、図３および図４（ａ）に示す通常状態に戻る。
【００９９】
このとき、枠体４４は、基台部３８の第一弾性爪５２の爪部に前端上面が当接して停止するようになるため、常に所定の上方位置に復帰するようになる。
【０１００】
なお、それぞれのプッシュオンスイッチ３３を、ほぼ同一反転ストロークで、同一反転動作力のドーム状可動接点３５を備えたものにすると、前記動作時にほぼ同時にプッシュオンスイッチ３３がオン状態になるものにできる。
【０１０１】
次に、円柱状操作つまみ４５のつまみ部の右端部を、図３に示すＶ２方向に押し下げると、その押圧力は二つのプッシュオンスイッチ３３のうち、押圧位置である円柱状操作つまみ４５の右端部に近い方の右側のプッシュオンスイッチ３３に大きく作用し、このプッシュオンスイッチ３３のドーム状可動接点３５が右側の押圧部４８で押し下げられていくと共に、枠体４４は右側の支持突部４９と左側のプッシュオンスイッチ３３を結ぶ直線を支持軸として傾動していく。
【０１０２】
そして、右側の押圧部４８による押圧力が所定の大きさを越えると、図１２に示すように、右側のプッシュオンスイッチ３３のみのドーム状可動接点３５が反転動作してオン状態になり、それに対応する接続用端子３７間が導通する。
【０１０３】
このときに、枠体４４は、左側の支持突部４９が基台部３８上から離れると共に、基台部３８の左側の第一弾性爪５２および第二弾性爪５３が駆動部材４６の前後部上面に当接した状態で停止する。
【０１０４】
つまり、この場合の傾動角度も所定角度に設定されており、プッシュオンスイッチ３３に過度の力を加えることもなく、良好な操作性を有するものにできる。
【０１０５】
また、前記傾動操作時にも、回動型エンコーダ部からの誤信号が発せられないことは、前記円柱状操作つまみ４５のつまみ部の中央部を押圧した場合と同じである。
【０１０６】
そして、前記操作力を除くと、右側のドーム状可動接点３５は復元してプッシュオンスイッチ３３をオフ状態に戻すと共に、その復元力によって枠体４４および円柱状操作つまみ４５等を元の位置に押し戻して図３および図４（ａ）に示す通常状態に戻る。
【０１０７】
一方、円柱状操作つまみ４５のつまみ部の左端部を押し下げた場合は、円柱状操作つまみ４５が左側に傾動して、左側のプッシュオンスイッチ３３のみを作動させることができる。
【０１０８】
このように本実施の形態による押圧・回転操作型電子部品であるプッシュオンスイッチ付回転型エンコーダは、前記円柱状操作つまみ４５のつまみ部を回転操作することにより回転型エンコーダ部から所定信号が得られると共に、前記つまみ部外周上面の両端部近傍のいずれかを下方に押圧操作することにより、前記枠体４４が前記基台部３８に対して傾動して前方下面の押圧部４８で各プッシュオンスイッチ３３を個別に操作でき、かつ前記つまみ部の外周上面の中央部分を下方に押圧操作することにより、前記枠体４４が前記基台部３８に対して回動して前方下面の押圧部４８で二つのプッシュオンスイッチ３３を同時に操作できる良好な操作性を備えたものである。
【０１０９】
次に、本実施の形態によるプッシュオンスイッチ付回転型エンコーダが電子機器である携帯電話に装着された状態等について、図１３の携帯電話の外観斜視図を用いて簡単に説明する。
【０１１０】
同図に示すように、携帯電話６９の操作面６９Ａとなる上面には、本実施の形態によるプッシュオンスイッチ付回転型エンコーダが、円柱状操作つまみ４５の上端部分を所定量突出させるように装着されている。
【０１１１】
そして、この携帯電話６９の使用方法は、操作面６９Ａの表示部７０に複数の機能項目メニューが所定の配列関係で表示された状態において、まず操作者は、円柱状操作つまみ４５の突出部分に対して接線方向の力を加え、円柱状操作つまみ４５を所定方向に回転させて回転型エンコーダ部を作動させ、その導出信号に基づき、表示画面中の機能項目メニューを希望する項目のある行まで前後方向に移動させる。
【０１１２】
続いて、操作者は、円柱状操作つまみ４５の突出部分の左右端部のいずれかを押圧操作して、図１３には図示していないその方向に対応するプッシュオンスイッチ３３を作動させて表示画面中の機能項目メニューを目的とする項目のある列まで左右方向に移動させて目的の項目を選択する。
【０１１３】
最後に、操作者は、円柱状操作つまみ４５の突出部分の中央部を押圧操作して図１３には図示していない二つのプッシュオンスイッチ３３を作動させ、選択した機能項目メニューを決定する。
【０１１４】
このように、本実施の形態によるものが搭載された携帯電話等の電子機器は、一つの円柱状操作つまみ４５に対する所定操作で、簡単かつ迅速に希望する項目選択および決定等ができる良好な操作性を有するものとなる。
【０１１５】
また、前述のごとく、その入力デバイスとしてもコンパクトに構成されたプッシュオンスイッチ付回転型エンコーダのみを搭載するのみで済むために、その設置面積を少なくできて、電子機器の小型化・薄形化等にも容易に対応することができる。
【０１１６】
以上のように、本実施の形態による押圧・回転操作型電子部品は、一つの円柱状操作つまみに対して回転操作が可能であると共に、三箇所の位置が押圧操作可能である操作性に優れたものであると共に、外装部材となる円柱状操作つまみに半田付け装着時の熱の影響を与えることなく装着できるものであるため、良好な操作性を備えた見栄えの優れた小型・薄形の電子機器を安価に実現できるものである。
【０１１７】
なお、円柱状操作つまみ４５のつまみ部の外周面に金属めっきを施して、この金属めっきを可動接点部材５４のリング状接点部５７に電気的に接続させるようにして両者を組み合わせ、コモン弾性接点とした弾性接点脚４０を使用機器のアース回路に電気的に接続するようにすると、円柱状操作つまみ４５のつまみ部から流入する静電気を、リング状接点部５７およびその弾性接点脚４０等を介して前記アース回路に逃がすことができるものとなり、静電気に起因する誤作動が少なく、安定した使用状態が容易に保証できるものも容易に得ることができる。
【０１１８】
なお、前記には、回転操作型部品部として回転型エンコーダ部を有するものを説明したが、それを回転式のスイッチ等としてもよい。
【０１１９】
また、前記には押圧操作型部品部が取付台に配設されたものについて詳述したが、押圧操作型部品部を基台部に構成してもよい。
【０１２０】
この場合には、基台部に配される回転操作型部品部および押圧操作型部品部からの信号を取付台に伝達できるように、回転操作型部品部を構成する弾性接点脚および各押圧操作型部品部の接点部分と導通した圧接用弾性端子をそれぞれ設け、取付台に基台部をスナップイン結合した際に、それぞれの圧接用弾性端子を圧接用固定接点に圧接接続しなければならないが、円柱状操作つまみを含む回転操作型部品部に加えて押圧操作型部品部も含めて半田付け固定時の影響が加わらないように装着できるものにできるため、それらを高価な高耐熱材料を用いて形成しなくても済み、しかも枠体の押圧部と押圧操作型部品部との位置決めがし易くできるものとなる。
【０１２１】
【発明の効果】
以上のように本発明によれば、一つの円柱状操作つまみに対して複数箇所に対する押圧操作または回転操作が可能で、使用機器の配線板上に半田付け固定された取付台に対して円柱状操作つまみを含むブロック体を後からスナップイン結合させて取り付けることができる操作性に優れた小型で薄形の押圧・回転操作型電子部品を得ることができるという有利な効果が得られる。
【０１２２】
また、外装部材となる円柱状操作つまみに前記半田付け固定時の熱による影響を与えないように装着することもできるため、外観がきれいで見栄えも優れ、かつ一つの円柱状操作つまみのみを操作することによって、希望する項目等が容易に選択・決定できる良好な操作性を備えた小型・薄形の電子機器を得ることができる。
【図面の簡単な説明】
【図１】本発明の一実施の形態による押圧・回転操作型電子部品としてのプッシュオンスイッチ付回転型エンコーダの外観斜視図
【図２】同分解斜視図
【図３】同正面図
【図４】（ａ）同要部である押圧操作型部品部としてのプッシュオンスイッチの構成を説明する部分断面図
（ｂ）同分解斜視図
【図５】同要部である駆動部材の裏面側の斜視図
【図６】同後方側からの外観斜視図
【図７】同部分断面正面図
【図８】同使用機器の配線板への装着方法を説明する図
【図９】同使用機器の配線板への装着状態を示す図
【図１０】同使用機器の上ケースを装着する状態を示す図
【図１１】同円柱状操作つまみのつまみ部の中央部を押圧操作した状態を示す部分断面正面図
【図１２】同円柱状操作つまみのつまみ部の右端部を押圧操作した状態を示す部分断面正面図
【図１３】同押圧・回転操作型電子部品としてのプッシュオンスイッチ付回転型エンコーダが装着された携帯電話の外観斜視図
【図１４】従来の押圧・回転操作型電子部品であるプッシュオンスイッチ付回転型エンコーダの外観斜視図
【図１５】同側面断面図
【図１６】同従来の押圧・回転操作型電子部品であるプッシュオンスイッチ付回転型エンコーダが搭載された携帯電話の外観斜視図
【図１７】同携帯電話に搭載された二回路プッシュオンスイッチの部分断面正面図
【符号の説明】
３１  取付台
３１Ａ  底部
３１Ｂ  側板部
３２  係合部
３３  プッシュオンスイッチ
３４Ａ  中央固定接点
３４Ｂ  外側固定接点
３５  ドーム状可動接点
３５Ａ  中央頂点部
３６  絶縁フィルム
３７  接続用端子
３８  基台部
３８Ａ  側壁部
３８Ｂ  係合突部
３８Ｃ  位置決め穴
３８Ｄ  連結底部
３８Ｅ  切欠き
３９  接点付端子
４０  弾性接点脚
４１  端子部
４１Ａ  圧接用弾性端子部
４２  圧接用固定接点
４３  導出端子
４４  枠体
４４Ａ  右側部
４４Ｂ  底面部
４４Ｃ  左側部
４５  円柱状操作つまみ
４５Ａ，４５Ｂ  窪み
４５Ｃ  円形穴
４６  駆動部材
４７  カバー部材
４７Ａ  軸受部
４７Ｂ  覆い部
４８  押圧部
４９  支持突部
５０  規制孔
５１  規制用突部
５２  第一弾性爪
５３  第二弾性爪
５４  可動接点部材
５４Ａ  円柱部
５５  円柱支持部
５６  可動接点部
５７  リング状接点部
５８  絶縁部
５９  導通部
６０  櫛歯部
６１  節度ばね
６１Ａ  弾性ダボ部
６２  放射状凹凸部
６３  ブロック体
６４  下ケース
６５  配線板
６６  位置決めボス
６７  開口部
６８  上ケース
６９  携帯電話
６９Ａ  操作面
７０  表示部
【図１】
0004013442.tif 000002
【図２】
0004013442.tif 000003
【図３】
0004013442.tif 000004
【図４】
0004013442.tif 000005
【図５】
0004013442.tif 000006
【図６】
0004013442.tif 000007
【図７】
0004013442.tif 000008
【図８】
0004013442.tif 000009
【図９】
0004013442.tif 000010
【図１０】
0004013442.tif 000011
【図１１】
0004013442.tif 000012
【図１２】
0004013442.tif 000013
【図１３】
0004013442.tif 000014
【図１４】
0004013442.tif 000015
【図１５】
0004013442.tif 000016
【図１６】
0004013442.tif 000017
【図１７】
0004013442.tif 000018